(57)【特許請求の範囲】
【請求項１】
１枚物の風呂蓋の周縁部に浴槽の上縁部と密着するシール部と、前記風呂蓋の中央部に在って、浴槽内を通気可能にする単数又は複数の逆円錐形状の通気弁からなる通気弁部と、前記風呂蓋を前記通気弁部を介してほぼ直角に回動して開閉可能に支持し、浴槽上縁近傍に軸承部を有する開閉フレーム部と、を備えたことを特徴とする密閉式風呂蓋。
【請求項２】
１枚物で使用し、周縁部の下面に浴槽を密閉するためのシール部を備え、かつ、蓋中心から長手方向に単数または複数の逆円錐台形状の通気孔を有する風呂蓋本体と、該通気孔を開閉する通気弁部と、浴室の側壁側の前記浴槽の外縁上面部又はその近傍部に固定した２箇所の軸承部に軸承されて、水平から鉛直方向に約９０度にわたり回動し、かつ、中間部に通気弁支持部を固設した開閉フレーム部と、それぞれが前記軸承部近傍のスプリング取付部と開閉フレーム部の中間部との間に設けられた２本の引張スプリングと、から構成される風呂蓋であって、前記シール部の断面形状が、中空で浴槽内縁に接触する斜辺を有する略逆三角形形状であり、また、前記開閉フレーム部が、それぞれが前記軸承部に一端を軸承されて横断方向に伸びた２本の脚部フレームと、２本の該脚部フレームに略直交するように長手方向に固設し、かつ、前記中間部に前記通気弁支持部を単数または複数固設した１本のセンターフレームと、該センターフレームの中央部に略直交するように固設された１本のハンドルフレームとから構成されており、また、前記通気弁部が、前記通気孔を上下動により開閉する略逆円錐台形状の通気弁本体と、該通気弁本体に繋がり、上部が通気弁支持部の弁軸ガイド穴に遊嵌する弁軸と、該弁軸の下端に設けられ前記通気孔の下部径より径が大きい円板状の下部ストッパと、から構成され、風呂蓋本体を蓋した状態では、前記開閉フレーム部に連動して、前記通気弁本体が前記通気孔を押圧封止し、前記開閉フレーム部で前記風呂蓋本体を開ける際には、前記通気弁本体が上昇し前記通気孔を通気開放した後、前記下部ストッパが前記通気孔に当設して前記風呂蓋本体を押し挙げることを特徴とする密閉式風呂蓋。
【請求項３】
前記通気弁支持部が、前記脚部フレームと前記センターフレームの交点に設けられることを特徴とする請求項２に記載の密閉式風呂蓋。
【請求項４】
前記引張スプリングが、前記スプリング取付部とセンターフレームのスプリング取付部との間に張設され、前記引張スプリングの前記脚部フレームに対する張設角度が、風呂蓋の蓋する状態で下向きにし、風呂蓋を開けた状態では上向きにして、前記引張スプリングを配設することを特徴とする請求項２又は３に記載の密閉式風呂蓋。
【請求項５】
前記風呂蓋本体を収納するために浴槽側壁に凹部を設けてなることを特徴とする請求項２から４に記載の密閉式風呂蓋。
【請求項６】
前記ハンドルフレームの先端部に、外側に向かって略凹形状の突起を有し先端側の該突起に外側に向いた側壁側車輪を有した側壁側腕と、内側に向かって凹形の略弧形状をしており、その先端部に浴槽側車輪を有した浴槽側腕と、が一本の横棒となり、該横棒と、ハンドルフレームと、が略Ｔ字形状をしており、該略Ｔ字形状の交点に回動自在にヒンジを設けたハンドルレバー部を備え、かつ、前記側壁の凹部の天井に、前記側壁側腕の略凹形状に嵌合する下向きの天井凸部を備え、前記浴槽の側面に、前記浴槽側腕の浴槽側車輪を掛止する外向きの浴槽凸部を備えたことを特徴とする請求項５に記載の密閉式風呂蓋。
【発明の詳細な説明】
【技術分野】
【０００１】
本発明は、１枚物の風呂蓋と浴槽とを密接させて、浴槽内のお湯を保温しお湯の温度の低下を防止できる密閉式風呂蓋に関するものである。
【背景技術】
【０００２】
従来より、沸かした浴槽内のお湯が風呂蓋を閉めていても、風呂蓋と浴槽とが密接していないことによって、放熱と外気の侵入等により、特に冬場に、お湯の温度が低下していた。このことによって、お湯を温め直すための電力や燃料のエネルギ消費が増えるとか、また、後から浴槽に浸かる人が、お湯の温度の低下によって不快に感じるという問題があった。
【０００３】
そこで、従来から、浴槽の水温低下を抑制する風呂蓋が発明されてきており、例えば、風呂蓋を２分割し、浴槽の長手側の両端部に回動自在な可動縁を有する風呂蓋において、浴槽と風呂蓋との間の隙間をなくすために、可動縁の外周にリブを設けた風呂蓋の先行技術が開示されている（参考文献１）。
【先行技術文献】
【特許文献】
【０００４】
【特許文献１】特開２００５−３０４５９２号公報（〔０００６〕〜〔００２１〕、〔図２〕、〔図５〕）
【発明の概要】
【発明が解決しようとする課題】
【０００５】
特許文献１の先行技術には、風呂蓋と浴槽との隙間をなくすことが開示されているが、風呂蓋と浴槽とは、線で接するため断熱効果が少なく、また、浴槽内の水温が下がると、浴槽内の空気が収縮して気圧が下がり、そのため浴室の冷たい空気が浴槽内に流入し、さらにお湯の温度が低下するという問題があった。
【０００６】
本発明は、これらの問題を解決したものであって、シール部分を少なくするため、１枚物の風呂蓋を採用し、前記風呂蓋と浴槽とが接する箇所にシールを設けることによって面で密接させ、さらに、スプリングの力で風呂蓋を押さえることにより、シールと断熱効果をより高めた密閉式風呂蓋を提供するものである。
【課題を解決するための手段】
【０００７】
上記の目的を達成するために、本願発明の請求項１に係る密閉式風呂蓋は、１枚物の風呂蓋の周縁部に浴槽の上縁部と密着するシール部と、前記風呂蓋の中央部に在って、浴槽内を通気可能にする単数又は複数の逆円錐形状の通気弁からなる通気弁部と、前記風呂蓋を前記通気弁部を介してほぼ直角に回動して開閉可能に支持し、浴槽上縁近傍に軸承部を有する開閉フレーム部と、を備えたことを特徴とする。また、本願発明の請求項２に係る密閉式風呂蓋は、１枚物で使用し、周縁部の下面に浴槽を密閉するためのシール部を備え、かつ、蓋中心から長手方向に単数または複数の逆円錐台形状の通気孔を有する風呂蓋本体と、該通気孔を開閉する通気弁部と、浴室の側壁側の前記浴槽の外縁上面部又はその近傍部に固定した２箇所の軸承部に軸承されて、水平から鉛直方向に約９０度にわたり回動し、かつ、中間部に通気弁支持部を固設した開閉フレーム部と、それぞれが前記軸承部近傍のスプリング取付部と開閉フレーム部の中間部との間に設けられた２本の引張スプリングと、から構成される風呂蓋であって、前記シール部の断面形状が、中空で浴槽内縁に接触する斜辺を有する略逆三角形形状であり、また、前記開閉フレーム部が、それぞれが前記軸承部に一端を軸承されて横断方向に伸びた２本の脚部フレームと、２本の該脚部フレームに略直交するように長手方向に固設し、かつ、前記中間部に前記通気弁支持部を単数または複数固設した１本のセンターフレームと、該センターフレームの中央部に略直交するように固設された１本のハンドルフレームとから構成されており、また、前記通気弁部が、前記通気孔を上下動により開閉する略逆円錐台形状の通気弁本体と、該通気弁本体に繋がり、上部が通気弁支持部の弁軸ガイド穴に遊嵌する弁軸と、該弁軸の下端に設けられ前記通気孔の下部径より径が大きい円板状の下部ストッパと、から構成され、風呂蓋本体を蓋した状態では、前記開閉フレーム部に連動して、前記通気弁本体が前記通気孔を押圧封止し、前記開閉フレーム部で前記風呂蓋本体を開ける際には、前記通気弁本体が上昇し前記通気孔を通気開放した後、前記下部ストッパが前記通気孔に当設して前記風呂蓋本体を押し挙げることを特徴とする。
【０００８】
また、本発明の請求項３に係る密閉式風呂蓋は、請求項２において、前記通気弁支持部が、前記脚部フレームと前記センターフレームの交点に設けられることを特徴とする。また、本発明の請求項４に係る密閉式風呂蓋は、請求項２又は３において、前記引張スプリングが、前記スプリング取付部とセンターフレームのスプリング取付部との間に張設され、前記引張スプリングの前記脚部フレームに対する張設角度が、風呂蓋の蓋する状態で下向きにし、風呂蓋を開けた状態では上向きにして、前記引張スプリングを配設することを特徴とする。
【０００９】
この構成を採用することにより、本願発明の風呂蓋は、浴室の側壁に接する側の浴槽の外縁上面部又はその近傍に固定した、高さを有する軸承部受台に軸承部の一端を固定して設け、軸承部の他端に開閉フレーム部を固設して、開閉フレーム部の回動に伴って、風呂蓋本体も連動して回動して開閉する。
【００１０】
また、引張スプリングの一端がセンターフレームで、他端が引張スプリング取付部であって、該定着部が脚部フレームの軸承部より下方にあるので、開閉フレーム部が略水平状態、即ち、風呂蓋本体を閉めた状態では、引張スプリングの張力によって、開閉フレーム部を下向き引張ることができる。即ち、開閉フレーム部が通気弁部を介して風呂蓋本体を上から押さえ付けることができる。よって、気密性が高められるので、浴槽内のお湯の温度低下を防止できる。また、定着部が脚部フレームの軸承部より外側にあるので、開閉フレーム部が略鉛直状態、即ち、風呂蓋本体を外して収納した状態では、引張スプリングの張力によって、開閉フレーム部が外向きに引張られ、また、軸承部が略鉛直より外側に回動しないので、開閉フレーム部は略鉛直状態で保持される。即ち、開閉フレーム部が略鉛直状態になって保持されれば、通気弁部を介して風呂蓋も略鉛直状態で保持されるので、浴槽に人が入っていても、風呂蓋本体が倒れてくることはない。
【００１１】
また、風呂蓋本体の周縁部の下面にシール部を設けており、そのシール部の断面形状が、中空形で外側下向きに斜辺を有する略逆三角形形状なので、浴槽内縁部と風呂蓋本体のシール部とが押圧により接触すると、シール部は変形して面接触でシールすることができる。さらに、上述した引張スプリングの効果によって、風呂蓋本体を強く押さえつけることができるので、シール部のシール形状を維持して隙間ができることを防止できる。よって、風呂蓋本体と浴槽との空隙をなくすことができるので、浴槽内に外気が入ってこず、浴槽内のお湯の温度低下を防止できる。
【００１２】
気圧バランス弁は、風呂蓋本体が閉まっている状態では、略逆円錐台形状の通気弁本体が、通気弁本体の自重と、開閉フレーム部が引張スプリングの張力によって、通気弁本体は下向きに押さえるので、略逆円錐台形状の風呂蓋本体の通気孔にしっかり嵌合して下向きに押さえて封止する。また、風呂蓋本体を開ける際には、開閉フレーム部を持ち上げると、それによって、通気弁部の弁軸の頭が通気弁支持部に引っ掛かって、弁軸が上向きに動き、そして、弁軸に直結した通気弁本体が上向きに動くので、通気孔が開放される。よって、浴槽内のお湯の温度降下によって起こる浴槽内の空気の収縮による負圧が解放されて、風呂蓋本体をスムーズに開けることができる。続いて、下部ストッパによって風呂蓋本体が引掛かり、開閉フレーム部の動きに合わせて風呂蓋本体も浴槽から外れて、さらに収納できる。
【００１３】
本願発明の請求項５に係る密閉式風呂蓋は、請求項２から４のいずれかに記載の密閉式風呂蓋において、前記風呂蓋本体を収納するために浴室側壁に凹部を設けてなることを特徴とする。
【００１４】
この構成を採用することにより、開放時に、風呂蓋本体を収納部にすっきりと収納することができるので、風呂蓋本体の開放時も邪魔にならず、外観もよい。
【００１５】
請求項６に係る密閉式風呂蓋は、請求項５に記載の風呂蓋において、前記ハンドルフレームの先端部に、外側に向かって略凹形状の突起を有し先端側の該突起に外側に向いたに向かう側壁側車輪を有した側壁側腕と、内側に向かって凹形の略弧形状をしており、その先端部に浴槽側車輪を有した浴槽側腕と、が一本の横棒となり、該横棒と、ハンドルフレームと、が略Ｔ字形状をしており、該略Ｔ字形状の交点に回動自在にヒンジを設けたハンドルレバー部を備え、かつ、前記側壁の凹部の天井に、前記側壁側腕の略凹形状に嵌合する下向きの天井凸部を備え、前記浴槽の側面に、前記浴槽側腕の浴槽側車輪を掛止する外向きの浴槽凸部を備えたことを特徴とする。
【００１６】
この構成を採用することにより、請求項５に係る風呂蓋本体は、風呂蓋を浴槽にセットした際には、ハンドルフレームに取り付けられたハンドルレバー部の浴槽側車輪が、浴槽側面に設けられた浴槽凸部に引掛けられて止まり、風呂蓋本体を押圧した状態を維持できる。
【００１７】
また、風呂蓋本体を開けて収納した状態では、側壁側車輪と他方の突起とが、天井凸部に嵌まって保持される。よって、収納時の外観がよく、確実に風呂蓋本体の収納状態を維持できる。
【発明の効果】
【００１８】
本発明に係る請求項１から５に記載の風呂蓋によれば、風呂蓋本体を浴槽に密着させることができるので、浴槽内のお湯の温度低下を防止できる。このことによって、後から入浴する人は、浴槽に浸かっても温度低下による不快感がない。また、お湯の温度低下を防げるので、追い焚きによる燃料消費を抑えることができる。
【図面の簡単な説明】
【００１９】
【図１ａ】本発明の実施するための形態に係る風呂蓋の模式的全体斜視図である。
【図１ｂ】本発明の実施するための形態に係る風呂蓋の模式的平面図である。
【図２】本発明の実施するための形態に係る風呂蓋であって、（ａ）は、風呂蓋本体を開放した状態の模式的断面図、（ｂ）は、風呂蓋本体を蓋した状態の模式的断面図である。
【図３】本発明の実施するための形態に係る風呂蓋であって、通気弁部とシール部の詳細を表した（ａ）は、風呂蓋本体を開放中の状態の模式的断面図、（ｂ）は、風呂蓋本体を開放しようとした瞬間の状態の模式的断面図、（ｃ）は、風呂蓋本体を閉じている状態の模式的断面図である。
【図４】本発明の実施するための形態に係る風呂蓋であって、開閉フレームの模式的平面図である。
【図５】本発明の実施するための形態に係る風呂蓋であって、ハンドルレバー部の詳細を表した（ａ）は、模式的側面図、（ｂ）は、風呂蓋本体を蓋した状態の模式的側面図、（ｃ）は、風呂蓋本体を開放した状態の模式的側面図ある。
【発明を実施するための形態】
【００２０】
本発明に係わる風呂蓋を実施するための形態について図１、２、３、４、５を用いて説明する。図１は、本発明の実施するための形態に係る風呂蓋であって、（ａ）は、風呂蓋の模式的全体斜視図、（ｂ）は、風呂蓋の模式的平面図である。図２は、本発明の実施するための形態に係る風呂蓋であって、（ａ）は、風呂蓋本体を開放した状態の模式的断面図、（ｂ）は、風呂蓋本体を蓋した状態の模式的断面図である。図３は、本発明の実施するための形態に係る風呂蓋であって、通気弁部とシール部の詳細を表した（ａ）は、風呂蓋本体を開放中の状態の模式的断面図、（ｂ）は、風呂蓋本体を開放しようとした瞬間の状態の模式的断面図、（ｃ）は、風呂蓋本体を閉じている状態の模式的断面図である。図４は、本発明の実施するための形態に係る風呂蓋であって、開閉フレームの模式的平面図である。図５は、本発明の実施するための形態に係る風呂蓋であって、ハンドルレバー部の詳細を表した（ａ）は、模式的側面図、（ｂ）は、風呂蓋本体を蓋した状態の模式的側面図、（ｃ）は、風呂蓋本体を開放した状態の模式的側面図ある。
【００２１】
図１（ａ）、（ｂ）に示すように、本発明に係る風呂蓋１は、風呂蓋本体２０と、通気弁部３０と、軸承部受台４０と、軸承部５０と、開閉フレーム部６０と、引張スプリング取付部７０と、引張スプリング８０と、から構成される。
【００２２】
図３（ａ）、（ｂ）、（ｃ）に示すように、風呂蓋本体２０は、断熱材を用いて製造されており、外縁部の下面に弾力性に富んだ樹脂、例えばシリコーン樹脂、を用いてシール部２２が施されている。シール部２２は、断面形状が中空の略逆三角形形状をしており、外側に肉厚の薄い斜辺２２−２を、内側に肉厚の厚い縦辺２２−１を有している。この構造により、風呂蓋本体２０を浴槽２の所定の位置で蓋をすると、肉厚の薄い斜辺２２−２が、浴槽２の上面の内側角に沿って変形して密着するので、浴槽２内の断熱性を高めることができて、浴槽２内の温度が低下することを防止できる。また、風呂蓋本体２０を浴槽２から外すと、肉厚の厚い縦辺２２−１が芯となるので、変形した肉厚の薄い斜辺２２−２を元の形状に復元させることができる。
【００２３】
また、風呂蓋本体２０には、長手方向の中心線上で、該中心線の中点から略対称となる２箇所の位置に、略逆円錐台形状の通気孔２１を設けている。この通気孔２１を通じて浴室９０内の外気が入ることができるので、浴槽２内のお湯の温度が徐々に低下することにより、お湯と風呂蓋本体２０の間にある空気が収縮して気圧が下がり、風呂蓋本体２０が浴槽２に吸着して離れなくなることを防止できる。なお、風呂蓋本体２０は断熱材を用いているので、浴槽２内の温度保持に貢献できる。
【００２４】
通気弁部３０は、通気弁本体３１と、弁軸３２と、下部ストッパ３３と、上部ストッパ３４と、から構成され、弁軸３２は、開閉フレーム６０の通気弁支持部６６の弁軸ガイド孔６４に遊嵌されており、下端部に通気孔２１の下端部の径より大きな径の下部ストッパ３３を、その直上に、風呂蓋本体２０の通気孔２１に嵌合して浴槽２内を封止することができる略逆円錐台形状の通気弁本体３１を、上端部には、弁軸ガイド孔６４の径より大きな径の上部ストッパ３４を固設している。なお、通常は、弁軸３２は、上部ストッパ３４と一体として、頭付の弁軸３２、３４として、用いられる。通気弁本体３１は、合成樹脂製、ゴム製で、弁軸３２、下部ストッパ３３及び上部ストッパ３４は、合成樹脂製、金属製で作るのが好適である。  
【００２５】
図３（ｃ）に示すように、浴槽２に風呂蓋本体２０を蓋すれば、通気弁本体３１は、合成樹脂製又はゴム製なので、その自重によって、通気孔２１に密着して封止できる。この際、引張スプリング８０が開閉フレーム６０を下向きに引張るので、通気弁支持部６６によって、通気弁本体３１をさらに下向きに押さえることができる。よって、通気弁本体３１によって、風呂蓋本体２０全体が下向けに押さえるので、前述のシール部２２の変形に伴う復元力によって、風呂蓋本体２０が浮き上がろうとする力を押さえ込んで、風呂蓋本体２０を浴槽２に密着させることができる。
【００２６】
浴槽２内のお湯の温度が徐々に下がってくると、浴槽２と風呂蓋本体２０と浴槽２内のお湯との間にある空気の温度も、風呂蓋本体２０を蓋したときよりも下がる。それによって空気は収縮するので、該空気の気圧は、浴槽２外の気圧より低くなっていて、風呂蓋本体２０は、シール部２２が施されているので浴槽２に密着して離れ難くなる。しかし、図３（ｂ）に示すように、本願風呂蓋１は、開閉フレームを握って、風呂蓋２を開けようとした瞬間に、開閉フレーム６０の通気弁支持部６６が上方に移動し、それに伴い、通気弁支持部６６の上端部に当接した上部ストッパ３４が上方に移動し、上部ストッパ３４に固設されている弁軸３２、さらに弁軸３２に固設されている通気弁本体３１、下部ストッパ３３が、上方に移動する。この際に、密着していた通気孔２１と通気弁本体３１との間に隙間ができて、浴室９０の空気が通気孔２１を通って浴槽２内に入り、気圧が平衡状態になるので、無理なく風呂蓋本体２０を開けることができる。そして、図３（ａ）に示すように、下部ストッパ３３が通気孔２１の下面に引掛かるので、開閉フレーム６０を上方に動かすと、風呂蓋本体２０は開き、浴室側壁９１側に収納される。この際、図２（ａ）、（ｂ）に示すように、下部ストッパ３３の上面に突起物を設けておくと、開閉フレーム６０を上げている際に、通気孔２１が常に開いた状態にすることができる。
【００２７】
図４に示すように、開閉フレーム６０は、２本の脚部フレーム６１と、センターフレーム６２と、ハンドルフレーム６３と、を少なくとも備え、脚部フレーム６１は、軸承部５０に一端を固着して、他端をセンターフレーム６２に固着しており、センターフレーム６２は、脚部フレーム６１及びハンドルフレーム６３に略直角方向に設けられて、センターフレーム６２の中央部付近にハンドルフレーム６３を、脚部フレーム６１と反対方向に固設している。ハンドルフレーム６３をもって、風呂蓋１の開閉を操作する。脚部フレーム６１とセンターフレーム６２との２箇所の交点にある通気弁支持部６６に、弁軸ガイド孔６４を有しており、弁軸３２を遊嵌して、通気弁部３０、及び通気孔２１を通じて風呂蓋本体２０、を支持している。なお、２箇所の通気孔２１は、風呂蓋本体２０の重心となるので、ハンドルフレーム６３を操作して、蓋をすれば、風呂蓋本体２０は、浴槽２に歪むことなく正規の位置に、確実に蓋をすることができる。なお、円形の風呂に用いる場合には、通気孔２１及び通気弁部３０は、円形の風呂蓋本体２０の中心に、一箇所あればよい。また、開閉フレーム６０は、合成樹脂製又はアルミ等の金属製が好適である。
【００２８】
図２（ａ）、（ｂ）に示すように、軸承部受台４０は、浴室９０の側壁９１に接する側の浴槽２の外縁上面部、または、該外縁部の外側でおよそ同じ高さの浴室に、軸承部受台４０の底部を固設している。軸承部受台４０は、頂部に軸承部５０の一端を固定しており、また、所定の高さを有している。また、引張スプリング取付部７０は、軸承部受台４０の外側で、軸承部５０より低い位置に設けられている。軸承部５０は、浴槽２側から、略鉛直上向きまでしか、回動しない。なお、軸承部受台４０、軸承部５０、引張スプリング取付部７０は、合成樹脂製及び金属製が好適であり、上記軸承部受台４０の所定の高さは５〜１５ｃｍ、また、引張スプリング取付部７０の高さは、１〜５ｃｍが好適である。
【００２９】
また、引張スプリング８０は、一端を引張スプリング取付部７０に固定し、他端を開閉フレーム６０に固定している。開閉フレーム６０の中でも、センターフレーム６２に固定するのが、力の作用のバランスから好適である。図２（ｂ）に示すように、風呂蓋本体２０を浴槽２に蓋した際には、所定の高さを有した軸承部受台４０の頂部にある軸承部５０からおよそ水平方向で、かつ、風呂蓋本体２０の中心線上にあるセンターフレーム６２から、斜め下向きの角度β°で、引張スプリング取付部７０に向かって引張スプリング８０で引張る。よって、垂直方向の分力によって、開閉フレーム６０は下向きに引張られて、その通気弁支持部６６は、通気弁本体３１を上から押さえ、さらに、通気弁本体３１は、風呂蓋本体２０を押さえるので、風呂蓋本体２０のシール部２２を強く押し付けて浴槽２に密着させるので、浴槽２内のお湯の温度低下を防ぐことができる。例えば、風呂蓋本体２０の重量が軽い場合には、軸承部受台４０の高さを高く設けることによって角度β°が大きくなり、それによって、引張スプリング８０の鉛直下向きの分力が大きくなるので、風呂蓋本体２０を浴槽２に押し付ける力を大きくして、風呂蓋本体２０と浴槽２とを密着させることができる。なお、引張スプリング８０は、ステンレス等の金属製を用いるのが好適である。
【００３０】
また、図２（ａ）に示すように、風呂蓋本体２０を浴槽２から外して側壁９１に収納した際には、軸承部受台４０の頂部にある軸承部５０から略垂直方向にあるセンターフレーム６２から、垂直から外向きの角度α°で、引張スプリング取付部７０に向かって引張スプリング８０で引張る。水平方向の分力によって、外側に引張られるので、風呂蓋本体２０が浴槽２側に倒れることはない。また、軸承部５０は、略鉛直上向きより側壁９１側に回動しないので、風呂蓋本体２０が側壁９１側にも倒れることはない。よって、風呂蓋本体２０は、安定して、側壁９１側に収納できる。したがって、本願発明の風呂蓋１を用いれば、風呂蓋本体２０が浴槽２側にも側壁９１側にも、倒れてこないので、安心して入浴することができる。
【００３１】
図５（ａ）、（ｂ）、（ｃ）に示すように、ハンドルフレーム６３の先端部分に開閉フレーム６０と同一方向に回動するハンドルレバー部６５を設けことができる。ハンドルレバー部６５は、外方向に凹形状をして側壁側の先端部に側壁側車輪６５−２を備えた側壁側腕６５−１と、内方向に凹形の略弧形状をして浴槽側の先端部に浴槽側車輪６５-４を備えた浴槽側腕６５−３と、ハンドルレバー部ヒンジと、から構成され、側壁側腕６５−１と浴槽側腕６５−３とは一体となっている。ハンドルフレーム部６５も、合成樹脂製又はアルミ等の金属製が好適である。
【００３２】
図５（ｂ）に示すように、風呂蓋本体２０を蓋する場合には、浴槽側車輪６５-４を、浴槽凸部２−１に引掛けて固定する。また、風呂蓋本体２０を収納する場合には、側壁側車輪６５−２を側壁凹部９２に引掛けて固定する。固定を開放する際は、引掛けている車輪６５−２、６５−４と反対側の腕６５−１、６５−３を押して又は引いて、固定を開放する。
【００３３】
風呂蓋本体２０を収納する側壁を平面的に凹形状に控えて、側壁凹部９１−１を設ければ、風呂蓋本体２０の収納時の見栄えをよくし、風呂蓋本体２０の収まりをよくする。
【００３４】
本願発明に係る風呂蓋１の使用方法の一例を示す。ハンドルフレーム６３を握って、下げると、弁軸ガイド孔６４、通気弁部３０を介して、通気孔２１を通じ風呂蓋本体２０は、浴槽２に蓋をする。この際、風呂蓋本体２０は、重心に位置する２箇所の通気孔２１で  支持されるので、所定の位置に収まることができる。風呂蓋本体２０を蓋すれば、通気弁本体３１が自重で確実に通気孔２１を封止することができる。また、上述したように、引張スプリング８０の引張力の鉛直下向きの分力によって、風呂蓋本体２０は、開閉フレーム６０から通気弁本体３１を介して上から押さえられるので、シール部２２が浴槽２に密着すると共に、風呂蓋本体２０が断熱材を用いられていることと相俟って、浴槽２内のお湯の温度を維持することができる。
【００３５】
また、ハンドルフレーム６３を持ち上げると、まず、開閉フレーム６０から連動して通気弁本体３１が上がり、通気孔２１に隙間ができる。よって、密閉された浴槽２内の高温のお湯の温度の低下に伴って、浴槽２内の空気の収縮が起こり、浴槽２内の気圧の低下によって風呂蓋本体２０が浴槽２に張り付いて外れなくなることを防止できる。また、ハンドルフレーム６３を持て、α＝β＝０°となる地点を過ぎて、α＞０°なれば、引張スプリング８０の上向きの分力によって、余り力を加えずとも風呂蓋本体２０を開けることができる。そして、軸承部５０は、略鉛直上向きまでしか可動しないことと相俟って、引張スプリング８０の引張力の外向きの分力によって、引張られるので、風呂蓋本体２０は倒れてくることがない。
【産業上の利用可能性】
【００３６】
風呂蓋として家庭用に限らず広く利用することができる。
【符号の説明】
【００３７】
１：風呂蓋
２：浴槽                ２−１：浴槽凸部
２０：風呂蓋本体
２１：通気孔
２２：シール部        ２２−１：シール縦壁部      ２２−２：シール斜辺部
３０：通気弁部            ３１：通気弁本体            ３２：弁軸
３３：下部ストッパ        ３４：上部ストッパ          
４０：軸承部受台
５０：軸承部
６０：開閉フレーム部      ６１：脚部フレーム      ６２：センターフレーム
６３：ハンドルフレーム    ６４：弁軸ガイド孔    
６５：ハンドルレバー部  ６５−１：側壁側腕    ６５−２：側壁側車輪
６５−３：浴槽側腕      ６５−４：浴槽側車輪  
６５−５：ハンドルレバー部ヒンジ                  ６６：通気弁支持部
７０：引張スプリング取付部
８０：引張スプリング
９０：浴室              ９１：浴室側壁凹部      ９１−１：側壁凹部  
９２：天井凸部
α：開閉フレームと引張スプリングとのなす角度
β：開閉フレームと引張スプリングとのなす角度
【図１ａ】
0005858958.tif 000002
【図１ｂ】
0005858958.tif 000003
【図２】
0005858958.tif 000004
【図３】
0005858958.tif 000005
【図４】
0005858958.tif 000006
【図５】
0005858958.tif 000007